(57)【特許請求の範囲】
【請求項１】
法要において使用する打楽器である妙鉢において、該妙鉢を構成する左右の鉢Ａ・Ａの中心孔に、軸紐４が通過可能な鳩目５を嵌装し、該鳩目５内に、紐により構成した軸紐４を通過させて軸芯部を構成し、該鉢Ａの内側に突出した軸紐４の端部と鉢Ａの内側面との間で、軸紐４の外周にスラストベアリングＢを介装し、更に該軸紐４の外周で、該スラストベアリングＢの両側に座金７・７を配置し、
該スラストベアリングＢは、ドーナツ状のボール保持体１０の外周の環状部分に、スラスト受けボール９をリテーナーにより抜け止め状態で遊嵌した構成とし、該スラスト受けボール９はボール保持体１０の左右の両側に突出し、前記座金７・７がこのスラスト受けボール９の両側の面に接当するように構成したことを特徴とする妙鉢。
【発明の詳細な説明】
【０００１】
【発明の属する技術分野】
本発明は、仏教の一派である日蓮宗において、法要等の儀式において使用される打楽器である妙鉢の構造に関する。
【０００２】
【従来の技術】
妙鉢は銅７０％、亜鉛３０％の合金製の板を、槌で叩いて形状を加工し調えたシンバル状の打楽器である。しかし特に掌で握る部分が、湾状に突出構成されているので、プレス等では製造できず、殆どが昔ながらの槌による叩き手作りで製造されている。
【０００３】
【発明が解決しようとする課題】
通常、仏教の法要においては、妙鉢はシンバル状に左右の鉢を叩き合わせて、ジャーンという音を出す打楽器として使用される。
しかし、仏教の一派である日蓮宗における法要等の儀式においては、左右１対の皿状の鉢の縁部を摺り合わせて、シャイーンという擦り合わせ音を発生させ、銅鑼との組合せで使用される。
このように、左右の鉢を摺り合わせて音を出す為には、左右の鉢を、手首と掌と指先で回して、空回転させることが必要である。
このように、鉢の縁部を摺り合わせて、法要においてシャイーンという音を出す場合に、古くから妙鉢を使用し慣れている僧侶は、長年の熟練により、苦もなく妙鉢を回すことが出来るのである。
【０００４】
しかし、修行時間の短い僧侶は、軸紐を軸芯とした左右の鉢を簡単に、空回りさせることが出来ないのである。
これが、法要において荘厳な雰囲気を醸し出さんとする場合に、僧侶が妙鉢の操作に気をとられて、読経等が疎かになり、荘厳な儀式の雰囲気を白けさせることとなるのである。
本発明は、このような日蓮宗の儀式において、重要な役目をする妙鉢の摺り合わせによるシャイーンという音を出す操作を、熟練していない僧侶でも、確実に出せるようにするものである。
また、従来の如く、回り難い妙鉢の場合には、鉢の中心部に設けた鳩目の部分で、紐を軸として妙鉢が回転するのであるが、該鳩目と紐との摩擦により、紐が切れる場合があるので、このような紐が切れるという不具合を解消せんとするものである。
【０００５】
【課題を解決するための手段】
本発明は、従来のような妙鉢の不具合を解消するものである。
法要において使用する打楽器である妙鉢において、該妙鉢を構成する左右の鉢Ａ・Ａの中心孔に、軸紐４が通過可能な鳩目５を嵌装し、該鳩目５内に、紐により構成した軸紐４を通過させて軸芯部を構成し、該鉢Ａの内側に突出した軸紐４の端部と鉢Ａの内側面との間で、軸紐４の外周にスラストベアリングＢを介装し、更に該軸紐４の外周で、該スラストベアリングＢの両側に座金７・７を配置し、該スラストベアリングＢは、ドーナツ状のボール保持体１０の外周の環状部分に、スラスト受けボール９をリテーナーにより抜け止め状態で遊嵌した構成とし、該スラスト受けボール９はボール保持体１０の左右の両側に突出し、前記座金７・７がこのスラスト受けボール９の両側の面に接当するように構成したものである。
【０００６】
【発明の実施の形態】
次に本発明の実施の形態を説明する。
図１は、本発明の左右の妙鉢を配置した状態の斜視図、図２は左右の妙鉢の鉢の縁部を摺り合わせて儀式において音を出す状態の後面図である。
【０００７】
図３は片方の妙鉢の断面図、図４は片方の妙鉢の紐による軸受部分を示す拡大断面図、図５は妙鉢の回転を容易にするスラストベアリング部分を取出した状態の側面図である。
【０００８】
図６は鉢の枢支孔に嵌装する鳩目の断面図、図７はスラストベアリングを受ける受け金１の斜視図、図８はスラストベアリングＢの斜視図である。
【０００９】
図１は本発明の妙鉢の左右一組の状態を示す斜視図である。
妙鉢は、通常は同じ形状の左右の鉢を向かい合わせて、左右を衝撃的に叩き合わすことにより、シンバル状のジャーンという音を出す宗教儀式用の打楽器である。
しかし、日蓮宗においては、左右を衝撃的に叩き合わしてジャーンという音を出す奏法よりも、左右の鉢Ａ・Ａを逆方向に回転させて、鉢Ａの縁部同士を摺り合わせて、シャイーンという長い音を出す使い方の方が多いのである。
【００１０】
長年の間、妙鉢の縁部の摺り合わせにより音を出す奏法を身につけている僧侶は、この左右の鉢Ａ・Ａを逆に空回転させる奏法を、簡単に行うことができるのである。この場合には、左右の鉢Ａ・Ａの碗状突出部に掌を掛けて、人差し指と親指の間の間に軸心紐を通して、手の甲の当板３を手の甲に当てた状態で、掌と指先を回転することにより、軸紐４を中心として、左右の鉢Ａ・Ａを逆方向に相当の回転数で逆回転させることが出来るのである。
そして回転を止める場合には、人指し指と親指の間を狭めて、かつ掌を掌接当突出部６に強く押し当てることにより制動をかけて停止させる。
【００１１】
しかし、経験の少ない僧侶の場合には、同じく手の甲の当板３と左右の鉢Ａ・Ａの間に掌を入れて、指先で左右の鉢Ａ・Ａを回転しようとしても、軸紐４と左右の鉢Ａとの摩擦力が発生しないように、左右の鉢Ａ・Ａの中心に軸紐４を配置することが出来ないので、偏心した状態の左右の鉢Ａと、軸紐４とが強く擦れることから、直ぐに左右の鉢Ａの回転が停止する為に、縁部を摺り合わせるシャイーンという音が発生できず、儀式の荘厳さをこわすこととなっていたのである。
【００１２】
また、軸紐４と左右の鉢Ａの中心の位置とが、一致しない状態で、無理やりに左右の鉢Ａを回転させようとする結果、左右の鉢Ａの中心の孔が、軸紐４に摩擦状態で接当して、軸紐４を切断してしまうという不具合も発生していたのである。
本発明においては、左右の鉢Ａの中心に大型の鳩目５を嵌装して、軸紐４との接当部分において、軸紐４を摩擦による切断することの無いように構成し、また上下の受け金１の間に、スラストベアリングＢを介装することにより、経験の少ない僧侶であっても、指先による回転操作で、簡単に左右の鉢Ａが回転可能な如く構成したものである。
【００１３】
これにより、初心者の僧侶でも、失敗することなく、左右の鉢Ａ・Ａを逆方向に回転できるようになり、儀式の最中において、妙鉢の操作に気を使うことなく読経を進めることができ、妙鉢の回転に失敗することがなく、儀式の荘厳さを失うことが無くなったのである。
【００１４】
図１において、２は飾り紐であり、手の甲の当板３の外側で、軸紐４と飾り紐２が連結されている。そして軸紐４の部分が鉢Ａの中心の孔を通過して、かつ鉢Ａの中心の孔に嵌装した鳩目５の孔をも通過して、軸の役目をしている。
また左右の鉢Ａは、外側に碗状の掌接当突出部６を叩き出した構成としており、該碗状の掌接当突出部６は入口開口部が、内部の径よりも小であり、プレス加工では加工できず、手作業の叩き出しにより製造する構造となっている。
【００１５】
そして、本発明の軸紐４の外側の軸受機構は、碗状の掌接当突出部６の内部に構成されている。
そして、僧侶が、縁部摺り合わせによりシャイーンという音を出す奏法を行う場合には、図４に示す如く、手を軸紐４と碗状の掌接当突出部６の間に入れて、碗状の掌接当突出部６を指先により回転するものである。
このように、手を入れて、碗状の掌接当突出部６を指先で回転する場合に、軸紐４や手の甲の当板３や、左右の鉢Ａの中心の孔の位置の具合により、左右の鉢Ａが十分な空回転を発生できなくなっていたのである。
本発明においては、碗状の掌接当突出部６の内部において、軸紐４の上に、２枚の受け金１・１を介装し、該２枚の受け金１の間に、スラストベアリングＢの座金７・７を介装し、該座金７・７の間に、スラストベアリングＢを介装したものである。
そして、該受け金１と座金７とスラストベアリングＢと座金７と受け金１により構成した一連の環状体の列の中心の孔に、軸紐４を通過させて、内側端部に軸紐４の結び瘤８を構成したものである。
【００１６】
上記構成において重要な役目をする受け金１は、図５と図７において図示している。皿状の金属板の中央の軸芯孔１ａを構成しており、この軸芯孔１ａに軸紐４を通過させている。また該受け金１は、皿状に構成して、内側の受け金１は、広い方を左右の鉢Ａの碗状の掌接当突出部６の内側面に当てて、狭い方にスラストベアリングＢの座金７を当てている。
また結び瘤８に近い方の受け金１は、狭い方に結び瘤８を当てて、広い方の内側に座金７を当てている。
そして、両側の座金７・７の間にスラストベアリングＢを介装している。
【００１７】
該スラストベアリングＢは、図８に示す如く、ドーナツ状のボール保持体１０の外周の環状部分に、スラスト受けボール９をリテーナーにより抜け止め状態で遊嵌している。そして、該スラスト受けボール９はボール保持体１０の左右の両側に球状外周面を突出しており、両側に配置された座金７・７がこのスラスト受けボール９の両側の面に接当するように構成している。
座金７・７とスラストベアリングＢの構成により、両側の受け金１と座金７が回転しても、スラストベアリングＢにより、その抵抗や摩擦を全く受けない状態で軸受支持することが出来るように構成しているのである。
【００１８】
また、本発明の鳩目５は、図６に示す如く、軸紐４の外周に接当した場合に、軸紐４の繊維を摩擦により摺り切ることの無いように、台形の鳩目５により構成している。該鳩目５を左右の鉢Ａの中心の孔に嵌装して、内側に突出した裾部分を左右の鉢Ａの内側の面に接触する方向に叩いて広げることにより、鳩目５を固定しているのである。
昔から、妙鉢は存在しており、寺院等において、古い妙鉢が存在するのであるが、最近の経験の少ない僧侶では、昔ながらの妙鉢では、スラストベアリングＢの部分や受け金１の部分がない為に、空回しが十分に出来ないのである。
また空回しが困難な状態で、更に強く指先で回さんとする力を加える為に、昔ながらの左右の鉢Ａの軸芯の孔や、薄い鳩目の場合には、軸紐４を擦り切るという結果となり、儀式の最中に、紐が切れた左右の鉢Ａが落下して、ジャーンという大きな音を立てて、荘厳な雰囲気をこわすこととなっていたのである。
【００１９】
本発明においては、このような、昔ながらの左右の鉢Ａの、鳩目５を大型のものに付け替えて、軸紐４と鳩目５の間の摩擦による擦り切れを無くし、また碗状の掌接当突出部６の内部の結び瘤８と、左右の鉢Ａの内側の面の間に、２枚の受け金１と、２枚の座金７・７と、その中心のスラストベアリングＢを介装して、初心者でも、碗状の掌接当突出部６を指先で操作することにより、簡単に左右の鉢Ａ・Ａが左右別方向の空回転をするように構成したものである。
【００２０】
【発明の効果】
本発明は以上の如く構成したので、次のような効果を奏するのである。
第１に、法要において使用する打楽器である妙鉢において、該左右の鉢Ａ・Ａを構成する鉢Ａの軸芯部を構成する軸紐４の外周で、鉢Ａの内側に突出した軸紐４の端部と、鉢Ａの内側面との間にスラストベアリングＢを介装したので、経験の少ない僧侶であっても、指先で碗状の掌接当突出部６を回転する操作をすることで、簡単に左右の鉢Ａ・Ａを逆方向に回転させることが出来るので、法要等の儀式において、縁部摺り合わせによりシャイーンという音が出せるかどうか等の気を使う必要がなくなるのである。
【００２１】
第２に、該スラストベアリングＢの両側に座金７・７を配置したので、スラストベアリングＢを配置しただけでは、軸紐４を軸芯として回転する機構であるので、互いの摩擦力を取ることが出来ない場合において、鉢Ａの回転がまず鉢Ａの側の座金７に伝達され空回転が発生し、次に該座金７とスラストベアリングＢのスラスト受けボール９との間で空回転が発生し、次に該スラスト受けボール９と遠い側の座金７との間でも空回転が発生しするので、各部分で空回転が発生することにより、鉢Ａの回転が落ちないので、回転する鉢Ａの回転軸心を徐々に一定させることが出来、軸紐４にスラストベアリングＢや座金７や鳩目５が接触しなくなり、更に摩擦力を０に近い状態とすることが可能となったのである。
【００２２】
第３に、鉢Ａの中心で、軸紐４の通過する中心孔に、軸紐４と接当する大型の鳩目５を嵌装したので、従来の如く、鉢Ａの中心の孔と軸紐４との間で無理に回転することにより、儀式の途中で、軸紐４が擦り切れて、鉢Ａが落下して、思いも掛けない大きな音を発して、儀式を台無しにすることが無くなったのである。
【図面の簡単な説明】
【図１】  本発明の左右の妙鉢を配置した状態の斜視図。
【図２】  左右の妙鉢の鉢の縁部を摺り合わせて、儀式において音を出す状態の後面図。
【図３】  片方の妙鉢の断面図。
【図４】  片方の妙鉢の紐による軸受部分を示す拡大断面図。
【図５】  妙鉢の回転を容易にするスラストベアリング部分を取出した状態の側面図。
【図６】  鉢の枢支孔に嵌装する鳩目の断面図。
【図７】  スラストベアリングを受ける受け金１の斜視図。
【図８】  スラストベアリングＢの斜視図である。
【符合の説明】
Ａ  左右の鉢
Ｂ  スラストベアリング
１  受け金
２  飾り紐
３  手の甲の当板
４  軸紐
５  鳩目
６  碗状の掌接当突出部
７  座金
８  結び瘤
【図１】
0003642913.tif 000002
【図２】
0003642913.tif 000003
【図３】
0003642913.tif 000004
【図４】
0003642913.tif 000005
【図５】
0003642913.tif 000006
【図６】
0003642913.tif 000007
【図７】
0003642913.tif 000008
【図８】
0003642913.tif 000009